(57)【要約】      （修正有）【課題】タオルの落下を防止して、広域に効率よく汗を十分に拭き取って、快適に屋内外での各種作業、及びジョギングなどの運動が出来る多機能汗拭きタオルを提供する。【解決手段】タオル本体２の中央部位付近に首掛け面部３を設け、首掛け面部３の下端部位付近に左紐部４と右紐部５を均一の同一形状構成にてそれぞれ設け、首掛け面部３の左側に左上汗拭き面部６を設け、左上汗拭き面部６の下方に同一条件で左下汗拭き面部７を設け、首掛け面部３の右側に右上汗拭き面部８を設け、右上汗拭き面部８の下方に同一条件で右下汗拭き面部９を設け、左上汗拭き面部６と左下汗拭き面部７は１面状を均一に２分割して２面状にした形状構成であり、右上汗拭き面部８と右下汗拭き面部９は１面状を均一に２分割して２面状にした形状構成であり、これらを一体形成したことを特徴とする多機能汗拭きタオル。【選択図】図１
2018000902.tif 000002
【特許請求の範囲】
【請求項１】
横幅８０ｃｍ位〜１１０ｃｍ位、縦幅３４ｃｍ位〜４４ｃｍ位のタオル本体の中央部位付近に横幅２０ｃｍ位、縦幅３４ｃｍ位〜４４ｃｍ位の首掛け面部を設け、該首掛け面部の下端部位付近に２０ｃｍ位の間隔で左紐部と右紐部を、均一の同一形状構成にてそれぞれ設けて一体形成したことを特徴とする多機能汗拭きタオル。
【請求項２】
該首掛け面部の左側に延長状構成で横幅３０ｃｍ位〜４５ｃｍ位、縦幅１７ｃｍ位〜２２ｃｍ位の左上汗拭き面部を設け、該左上汗拭き面部の下方に同一条件で左下汗拭き面部を設け、同じく該首掛け面部の右側に延長状構成で横幅３０ｃｍ位〜４５ｃｍ位、縦幅１７ｃｍ位〜２２ｃｍ位の右上汗拭き面部を設け、該右上汗拭き面部の下方に同一条件で右下汗拭き面部を設け、該左上汗拭き面部と該左下汗拭き面部は１面状を均一に２分割して２面状にした形状構成であり、同じく該右上汗拭き面部と該右下汗拭き面部は１面状を均一に２分割して２面状にした形状構成であり、これらを一体形成したことを特徴とする請求項１に記載の多機能汗拭きタオル。
【発明の詳細な説明】
【技術分野】
【０００１】  本発明は、屋内外での各種作業、及びジョギングなどの運動をする際に、首に掛けて汗を拭く多機能汗拭きタオルに関するものである。
【背景技術】
【０００２】  従来、屋内外での各種作業、及びジョギングなどの運動をする際に、首に掛けて汗を拭くタオルは、風で飛ばされたりずり落ちたりしないように、首の前付近で結んでいた。
尚、タオルを首に及び腕に巻いてもタオルがずり落ちず、タオルの結び目を作らなくてもずり落ちない、タオルの両側に切り込み口を入れ、ボタンホールの穴かがり縫いを行い、貫通口を設けた襟巻きタオルが知られている（特許文献１参照）。
【先行技術文献】
【特許文献】
【０００３】
【特許文献１】  特開２００４−０４９８５７号広報
【発明の概要】
【発明が解決しようとする課題】
【０００４】  しかしながら、首に掛けて汗を拭くタオルが、風で飛ばされたりずり落ちたりしないように、首の前付近で結ぶ、又はタオルの結び目を作らなくてもずり落ちない襟巻きタオルは、何れも汗を拭く面部位の可動域が狭く限定されて広域に拭くことが出来ず、且つ汗を拭く面部位が少なくて拭けない部位が生じると云う問題があった。タオルの落下を防止して汗を効率良く広域に十分に拭き取ることは不可能だった。
本発明は、以上の問題点を解決する為になされたものである。
【課題を解決するための手段】
【０００５】  横幅８０ｃｍ位〜１１０ｃｍ位、縦幅３４ｃｍ位〜４４ｃｍ位のタオル本体の中央部位付近に横幅２０ｃｍ位、縦幅３４ｃｍ位〜４４ｃｍ位の首掛け面部を設け、該首掛け面部の下端部位付近に２０ｃｍ位の間隔で左紐部と右紐部を均一の同一形状構成にてそれぞれ設け、該首掛け面部の左側に延長状構成で横幅３０ｃｍ位〜４５ｃｍ位、縦幅１７ｃｍ位〜２２ｃｍ位の左上汗拭き面部を設け、該左上汗拭き面部の下方に同一条件で左下汗拭き面部を設け、同じく該首掛け面部の右側に延長状構成で横幅３０ｃｍ位〜４５ｃｍ位、縦幅１７ｃｍ位〜２２ｃｍ位の右上汗拭き面部を設け、該右上汗拭き面部の下方に同一条件で右下汗拭き面部を設け、該左上汗拭き面部と該左下汗拭き面部は１面状を均一に２分割して２面状にした形状構成であり、同じく該右上汗拭き面部と該右下汗拭き面部は１面状を均一に２分割して２面状にした形状構成であり、これらを一体形成したことを特徴とする多機能汗拭きタオル。
【発明の効果】
【０００６】  従来不可能とされていたタオルの落下を防止して汗を効率良く広域に十分に拭き取ることを、本発明により可能にし、屋内外での各種作業、及びジョギングなどの運動が安心して快適にできる。
本発明は、老若男女が特別の技術を必要としないで、従来と同様の要領で容易に手軽に安価で使用できる
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）多機能汗拭きタオル（１）の横幅８０ｃｍ位〜１１０ｃｍ位、縦幅３４ｃｍ位〜４４ｃｍ位の吸水性に優れた木綿材などのタオル本体（２）の中央部位付近に横幅２０ｃｍ位、縦幅３４ｃｍ位〜４４ｃｍ位の首掛け面部（３）を設ける。
（ロ）尚、タオル本体（２）は表面と裏面を有するが、同一形状構成で一体であることから、本説明では表面は省略する。
（ハ）該首掛け面部（３）の裏面側の下端部位付近に、２０ｃｍ位の間隔で左紐部（４）と右紐部（５）を、該各紐部（４、５）のそれぞれ先端付近部位を、該首掛け面部（３）の前記部位付近に縫製にて固着して設ける。
（ニ）該左紐部（４）と該右紐部（５）は、帯状又は丸状などで長さは首前付近で楽に結べる各３５ｃｍ位である。
（ホ）該首掛け面部（３）の左側に延長状構成で横幅３０ｃｍ位〜４５ｃｍ位、縦幅１７ｃｍ位〜２２ｃｍ位の左上汗拭き面部（６）を設ける。
（ヘ）同条件で該左上汗拭き面部（６）の下方に、横幅３０ｃｍ位〜４５ｃｍ位、縦幅１７ｃｍ位〜２２ｃｍ位の左下汗拭き面部（７）を設ける。
（ト）同じく、該首掛け面部（３）の右側に延長状構成で横幅３０ｃｍ位〜４５ｃｍ位、縦幅１７ｃｍ位〜２２ｃｍ位の右上汗拭き面部（８）を設ける。
（チ）同条件で該右上汗拭き面部（８）の下方に、横幅３０ｃｍ位〜４５ｃｍ位、縦幅１７ｃｍ位〜２２ｃｍ位の右下汗拭き面部（９）を設ける。
（リ）該左上汗拭き面部（６）と該左下汗拭き面部（７）は、１面状を均一に２分割して２面状にした形状構成である。
（ヌ）該右上汗拭き面部（８）と該右下汗拭き面部（９）は、１面状を均一に２分割して２面状にした形状構成である。
本発明は以上のような構造で一体形成したものである。
本発明を使用する時は、まず多機能汗拭きタオル（１）のタオル本体（２）の左紐部（４）と右紐部（５）を設けてある裏面側を表にして、テーブル又は膝の上などに広げて置く。
次に、左上汗拭き面部（６）と右上汗拭き面部（７）の上側端を左右の手で持ち、各紐部（４，５）側に折り畳む、若しくは巻いて丸めた、従来のタオルを首に掛ける際に作ったような形状にした後、各紐部（４，５）の固着部位が首肌に当接しないように、各紐部（４，５）の表面が表になるように逆巻きを加える。各紐部（４，５）が、それぞれ左胸と右胸に垂れかかるように、従来と同様の要領で首掛け面部（３）を首の後ろに当接させて首に掛け、首前の適宣位置で左紐部（４）と右紐部（５）を結び、使用中に風で飛ばされる又はずり落ちたりしないようにして、多機能汗拭きタオル（１）の使用準備は完了である。
顔及び耳の後ろ又は首筋などにかいた汗は、各汗拭き面部（６、７、８、９）の表面と裏面合わせて計８面を１面ずつ順次使って、従来と同様の要領で拭く。
そして、汗を拭いて濡れた、例えば左上汗拭き面部（６）を、密着している左下汗拭き面部（７）から一時的に隔離して背中側へ振り分けることで、左上汗拭き面部（６）の濡れが左下汗拭き面部（７）に染みるのを阻止して、且つ身体に触れるのを防ぐことが出来るので、不快感が避けられ、風通しも良くなるので早く乾く。
この様に、多機能汗拭きタオル（１）は、老若男女が特別の技術を必要としないで、従来と同様の要領で容易に、屋内外での各種作業、及びジョギングなどの運動をする際に安心して手軽に使用できる。
【符号の説明】
【０００９】  １多機能汗拭きタオル  ２タオル本体  ３首掛け面部  ４左紐部  ５右紐部  ６左上汗拭き面部  ７左下汗拭き面部  ８右上汗拭き面部  ９右下汗拭き面部
【図１】
2018000902.tif 000003
【図２】
2018000902.tif 000004